(57)【要約】    【課題】  画像表示面を高倍率で観察することができ、諸収差を良好に補正した高い光学性能を有し、かつ全系が小型で製造が容易な接眼光学系を得ること。    【解決手段】  画像表示面に表示された画像を観察するための複数のレンズを含む接眼光学系であって、複数のレンズは、画像表示面側から観察側へ順に配置された、負の屈折力の第１レンズ、正の屈折力の第２レンズからなり、第１レンズの画像表示面側のレンズ面の近軸曲率半径ｒ１１、観察側のレンズ面の近軸曲率半径ｒ１２、第２レンズの画像表示面側のレンズ面の近軸曲率半径ｒ２１、観察側のレンズ面の近軸曲率半径ｒ２２を各々適切に設定する。【選択図】    図１
2019152733.tif 000002
【特許請求の範囲】
【請求項１】
画像表示面に表示された画像を観察するための複数のレンズを含む接眼光学系であって、
前記複数のレンズは、画像表示面側から観察側へ順に配置された、負の屈折力の第１レンズ、正の屈折力の第２レンズからなり、
前記第１レンズの画像表示面側のレンズ面の近軸曲率半径をｒ１１、観察側のレンズ面の近軸曲率半径をｒ１２、前記第２レンズの画像表示面側のレンズ面の近軸曲率半径をｒ２１、観察側のレンズ面の近軸曲率半径をｒ２２とするとき、
−１５．０≦（ｒ１１＋ｒ１２）／（ｒ１１−ｒ１２）≦−０．２
−０．２５≦（ｒ２１＋ｒ２２）／（ｒ２１−ｒ２２）≦１．５０
なる条件式を満足することを特徴とする接眼光学系。
【請求項２】
標準視度における、前記画像表示面から前記第２レンズの観察側のレンズ面までの光軸上の距離をＴＴＬ、前記第１レンズの画像表示面側のレンズ面から前記第２レンズの観察側のレンズ面までの光軸上の距離をＤとするとき、
０．１５≦Ｄ／ＴＴＬ≦０．５５
なる条件式を満たすことを特徴とする請求項１に記載の接眼光学系。
【請求項３】
前記第１レンズの観察側のレンズ面から前記第２レンズの画像表示面側のレンズ面までの光軸上の間隔をｄ３、前記第２レンズの光軸上の厚みをＤ２とするとき、
０．０≦ｄ３／Ｄ２≦０．１
なる条件式を満たすことを特徴とする請求項１または２に記載の接眼光学系。
【請求項４】
標準視度における、前記画像表示面から前記第２レンズの観察側のレンズ面までの光軸上の距離をＴＴＬ、前記接眼光学系の焦点距離をｆとするとき、
０．４≦ＴＴＬ／ｆ≦１．５
なる条件式を満たすことを特徴とする請求項１乃至３のいずれか１項に記載の接眼光学系。
【請求項５】
前記第１レンズの焦点距離をＬ１ｆ、前記第２レンズの焦点距離をＬ２ｆとするとき、
−１０≦Ｌ１ｆ／Ｌ２ｆ≦−１
なる条件式を満たすことを特徴とする請求項１乃至４のいずれか１項に記載の接眼光学系。
【請求項６】
視度調整に際して、前記第１レンズと、前記第２レンズは光軸に沿って移動することを特徴とする請求項１乃至５のいずれか１項に記載の接眼光学系。
【請求項７】
画像を表示する画像表示素子と、該画像表示素子の画像表示面に表示される画像を観察するために用いられる請求項１乃至６のいずれか１項に記載の接眼光学系を有することを特徴とする観察装置。
【請求項８】
前記接眼光学系の焦点距離をｆ、前記画像表示素子の画像表示面の対角線長の半分をＰＮとするとき、
０．１９＜ＰＮ／ｆ＜０．５０
なる条件式を満たすことを特徴とする請求項７に記載の観察装置。
【請求項９】
物体像を撮像する撮像光学系と、前記撮像光学系で撮像された物体像を表示する画像表示素子と、該画像表示素子で表示される画像を観察するための請求項１乃至８のいずれか１項に記載の観察装置を有することを特徴とする撮像装置。
【発明の詳細な説明】
【技術分野】
【０００１】
本発明は、接眼光学系及びそれを有する観察装置に関する。
【背景技術】
【０００２】
従来、電子ビューファインダー（観察装置）においては、液晶等の画像表示素子の画像表示面に表示された画像を拡大観察する為に接眼光学系が用いられている。
【０００３】
この接眼光学系には、画像表示面の視認性を高めるために、十分に広い視野（高い観察倍率）と、収差が良好に補正された高い光学性能を有すること等が要望されている。更に観察装置の小型化の要望より、レンズ枚数が少なく、観察装置に用いる画像表示面が小さな寸法（例えば対角長で２０ｍｍ以下）の画像表示素子に適した接眼光学系が求められている。
【０００４】
従来、少ないレンズ枚数の接眼光学系が種々と提案されている（特許文献１乃至３）。特許文献１では、画像表示面側より観察側に向かって、負の屈折力の第１レンズ、物体側に強い曲率を持った正の屈折力の第２レンズよりなる接眼光学系を開示している。また、特許文献２では、負の屈折力のレンズと、正の屈折面のレンズよりなり、非球面を利用した高い光学性能を得るようにした接眼レンズを開示している。
【先行技術文献】
【特許文献】
【０００５】
【特許文献１】特開平０８−０２９７０５号公報
【特許文献２】特開平０５−１１９２７４号公報
【発明の概要】
【発明が解決しようとする課題】
【０００６】
観察装置に用いられる接眼光学系において、観察倍率を高く、接眼光学系全体の小型化を図るためには、接眼光学系のレンズ構成及び各レンズの屈折力、レンズ形状等を適切に設定することが重要になってくる。
【０００７】
特許文献１に開示された接眼光学系は、負の屈折力の第１レンズの画像表示面側と正の屈折力の第２レンズの画像表示面側のレンズ面を非球面形状にすることで、全体の小型化を実現している。しかしながら、観察倍率が必ずしも十分ではなかった。特許文献２で開示された接眼光学系は、第１レンズ、第２レンズに、夫々、非球面形状のレンズ面を用いることによって小型化を実現している。しかしながら、非球面形状の非球面量が多くなる傾向があった。
【０００８】
本発明は、画像表示面を観察する際の観察倍率が高く、諸収差を良好に補正し高い光学性能を確保し、かつ全系が小型で製造が容易な接眼光学系の提供を目的とする。
【課題を解決するための手段】
【０００９】
本発明の接眼光学系は、画像表示面に表示された画像を観察するための複数のレンズを含む接眼光学系であって、
前記複数のレンズは、画像表示面側から観察側へ順に配置された、負の屈折力の第１レンズ、正の屈折力の第２レンズからなり、
前記第１レンズの画像表示面側のレンズ面の近軸曲率半径をｒ１１、観察側のレンズ面の近軸曲率半径をｒ１２、前記第２レンズの画像表示面側のレンズ面の近軸曲率半径をｒ２１、観察側のレンズ面の近軸曲率半径をｒ２２とするとき、
−１５．０≦（ｒ１１＋ｒ１２）／（ｒ１１−ｒ１２）≦−０．２
−０．２５≦（ｒ２１＋ｒ２２）／（ｒ２１−ｒ２２）≦１．５０
なる条件式を満足することを特徴としている。
【発明の効果】
【００１０】
本発明によれば、画像表示面を高倍率で観察することができ、諸収差を良好に補正した高い光学性能を有し、かつ全系が小型で製造が容易な接眼光学系が得られる。
【図面の簡単な説明】
【００１１】
【図１】実施例１に係る接眼光学系のレンズ構成を示す断面図
【図２】実施例１に係る接眼光学系の各収差図
【図３】実施例２に係る接眼光学系のレンズ構成を示す断面図
【図４】実施例２に係る接眼光学系の各収差図
【図５】実施例３に係る接眼光学系のレンズ構成を示す断面図
【図６】実施例３に係る接眼光学系の各収差図
【図７】実施例４に係る接眼光学系のレンズ構成を示す断面図
【図８】実施例４に係る接眼光学系の各収差図
【図９】実施例５に係る接眼光学系のレンズ構成を示す断面図
【図１０】実施例５に係る接眼光学系の各収差図
【図１１】本発明の撮像装置の要部概略図
【発明を実施するための形態】
【００１２】
以下、各実施例の接眼光学系及びそれを有する観察装置について説明する。各実施例の接眼光学系は、画像表示素子に表示された画像（画像表示面）を観察するための複数のレンズを含む接眼光学系である。接眼光学系は、画像表示面側から観察側へ順に配置された、負の屈折力の第１レンズ、正の屈折力の第２レンズより構成されている。
【００１３】
図１は本発明の接眼光学系の実施例１のレンズ断面図である。図２は本発明の接眼光学系の実施例１の視度が−１．０ディオプター（標準視度）における収差図である。
【００１４】
図３は本発明の接眼光学系の実施例２のレンズ断面図である。図４は本発明の接眼光学系の実施例２の視度が−１．０ディオプターにおける収差図である。
【００１５】
図５は本発明の接眼光学系の実施例３のレンズ断面図である。図６は本発明の接眼光学系の実施例３の視度が−１．０ディオプターにおける収差図である。
【００１６】
図７は本発明の接眼光学系の実施例４のレンズ断面図である。図８は本発明の接眼光学系の実施例４の視度が−１．０ディオプターにおける収差図である。
【００１７】
図９は本発明の接眼光学系の実施例５のレンズ断面図である。図１０は本発明の接眼光学系の実施例５の視度が−１．０ディオプターにおける収差図である。
【００１８】
図１１は本発明の撮像装置の要部概略図である。
【００１９】
各実施例の接眼光学系は、ビデオカメラ、スチルカメラ、放送用カメラ等の撮像装置の電子ビューファインダー（観察装置）に用いられる。レンズ断面図において左方は画像表示面側、右方は観察側（射出瞳側）である。レンズ断面図においてＬ０は接眼光学系である。Ｌｉは第ｉレンズである。ＩＰは液晶又は有機ＥＬ等よりなる画像表示素子の画像表示面である。ＥＰは観察のための設計観察面（アイポイント）である。ＣＧ１はカバーガラスである。
【００２０】
各収差図のうち球面収差図において、実線のｄはｄ線（波長５８７．６ｎｍ）、点線のＦはＦ線（波長４８６．１ｎｍ）を示す。非点収差図においてΔＳｄ（実線）はｄ線のサジタル像面、ΔＭｄ（破線）はｄ線のメリディオナル像面を示す。ΔＳＦ（一点鎖線）はＦ線のサジタル像面、ΔＭＦ（二点鎖線）はＦ線のメリディオナル像面を示す。歪曲はｄ線について示している。倍率色収差はＦ線について示している。Ｈは画像表示面の対角線長の半分（最大像高）である。数値は後述する数値データをｍｍ単位で表したときの値である。
【００２１】
画像表示素子の画像表示面ＩＰの対角線長が約２０ｍｍ以下の小型の画像表示面（表示パネル）を大きな観察視野（視野角約２０度以上）で観察するためには、接眼光学系Ｌ０全体で強い正の屈折力（パワー）を持つ必要がある。そのためには、接眼光学系Ｌ０を構成する各レンズに強い正の屈折力、負の屈折力が必要になる。そうすると多く場合、レンズ枚数が増える。更にレンズ厚が厚くなるなどによって、接眼光学系Ｌ０全体のサイズ（寸法）が大きくなる場合が多い。また、接眼光学系Ｌ０を小さくしたまま高倍率化を図ると、像面湾曲、倍率色収差が増大し、これらの諸収差の補正が困難になる。
【００２２】
そこで、各実施例に係る接眼光学系では、各レンズ断面図に示すように、画像表示面ＩＰ側（物体側）より観察面（アイポイント）ＥＰ側に順に、２つのレンズで構成している。具体的には、負の屈折力の第１レンズＬ１、正の屈折力の第２レンズＬ２で構成している。
【００２３】
各実施例において観察面ＥＰの光軸方向の位置は、画像表示面ＩＰの最周辺からの光線が観測者の瞳を通過する範囲内であれば光軸方向に移動しても良い。また、レンズ最終面（図１、図５、図７、図９において、第２レンズＬ２の観察側のレンズ面）から観察面ＥＰまでの距離をアイレリーフとしている。カバーガラスＣＧＩは画像表示面ＩＰやレンズを保護するプレートであり、画像表示面ＩＰからレンズの間やレンズと観察面ＥＰの間に設けても良いし、また必ずしも設置しなくても良い。
【００２４】
各実施例において視度調整は接眼光学系Ｌ０全体（第１レンズと第２レンズ）を移動して行っている。
【００２５】
各実施例の接眼光学系Ｌ０は、画像表示面ＩＰ側から観察側へ順に配置された、負の屈折力の第１レンズＬ１、正の屈折力の第２レンズＬ２で構成されている。このとき、第１レンズＬ１の画像表示面ＩＰ側のレンズ面の近軸曲率半径をｒ１１、観察側のレンズ面の近軸曲率半径をｒ１２、第２レンズＬ２の画像表示面ＩＰ側のレンズ面の近軸曲率半径をｒ２１、観察側のレンズ面の近軸曲率半径をｒ２２とする。このとき、
−１５．０≦（ｒ１１＋ｒ１２）／（ｒ１１−ｒ１２）≦−０．２・・・（１）
−０．２５≦（ｒ２１＋ｒ２２）／（ｒ２１−ｒ２２）≦１．５  ・・・（２）
なる条件式を満足する。ただし、近軸曲率半径は光線有効範囲の１割で求める。
【００２６】
次に前述の各条件式の技術的意味について説明する。条件式（１）は、第１レンズＬ１のレンズ形状を規定している。条件式（１）の上限値を超えると、第１レンズの画像表示面ＩＰ側のレンズ面がゆるくなりすぎ、高い光学性能を得るために、画像表示面ＩＰと第１レンズＬ１の間の距離を多くとる必要が出てくる。
【００２７】
そうすると全系が大型化しやすくなる。また、下限値を下回ると、第１レンズＬ１の負の屈折力が弱くなる（負の屈折力の絶対値が小さくなる）ため、観察倍率の高倍率化が困難になる。
【００２８】
条件式（２）は、第２レンズＬ２のレンズ形状を規定している。条件式（２）は観察倍率の高倍率を保ちつつ像面湾曲を良好に補正する為のものである。条件式（２）の上限値を超えると、高倍率は得られやすいが、レンズ面の曲率がきつくなり、レンズの製造が困難になる。また下限値を下回ると、高倍率化が困難になる。
【００２９】
好ましくは条件式（１）、（２）の数値範囲を次の如く設定するのが良い。
【００３０】
−１４．０≦（ｒ１１＋ｒ１２）／（ｒ１１−ｒ１２）≦−０．５・・・（１ａ）
−０．２≦（ｒ２１＋ｒ２２）／（ｒ２１−ｒ２２）≦１．４    ・・・（２ａ）
【００３１】
更に好ましくは条件式（１ａ）、（２ａ）の数値範囲を次の如く設定するのが良い。
−１３．０≦（ｒ１１＋ｒ１２）／（ｒ１１−ｒ１２）≦−０．７・・・（１ｂ）
−０．１≦（ｒ２１＋ｒ２２）／（ｒ２１−ｒ２２）≦１．３    ・・・（２ｂ）
【００３２】
各実施例において好ましくは次の条件式のうち１つ以上を満足するのが良い。標準視度における、画像表示面ＩＰから第２レンズＬ２の観察側のレンズ面までの光軸上の距離をＴＴＬ、第１レンズＬ１の画像表示面ＩＰ側のレンズ面から第２レンズＬ２の観察側のレンズ面までの光軸上の距離をＤとする。第１レンズＬ１の観察側のレンズ面から第２レンズＬ２の画像表示面ＩＰ側のレンズ面までの光軸上の間隔をｄ３、第２レンズの光軸上の厚みをＤ２とする。接眼光学系Ｌ０の焦点距離をｆとする。第１レンズＬ１の焦点距離をＬ１ｆ、第２レンズＬ２の焦点距離をＬ２ｆとする。
【００３３】
このとき次の条件式のうち１つ以上を満足するのが良い。
０．１５≦Ｄ／ＴＴＬ≦０．５５  ・・・（３）
０．０≦ｄ３／Ｄ２≦０．１      ・・・（４）
０．４≦ＴＴＬ／ｆ≦１．５      ・・・（５）
−１０≦Ｌ１ｆ／Ｌ２ｆ≦−１    ・・・（６）
【００３４】
また各実施例において、画像を表示する画像表示素子と、画像表示素子の画像表示面に表示される画像を観察するために用いられる接眼光学系を有する観察装置において、画像表示素子の画像表示面の対角線長の半分をＰＮとする。このとき、
０．１９＜ＰＮ／ｆ＜０．５０    ・・・（７）
なる条件式を満足するのが良い。
【００３５】
次に前述の各条件式の技術的意味について説明する。条件式（３）は標準視度（−１．０ディオプター）における、画像表示面ＩＰから第２レンズＬ２の観察側のレンズ面までの光軸上の距離と第１レンズＬ１の画像表示面ＩＰ側から第２レンズＬ２の観察側のレンズ面までの光軸上の距離の比を規定する。条件式（３）は全系の小型化を図るためのものである。
【００３６】
条件式（３）の上限値を超えて、すなわち第１レンズＬ１と第２レンズＬ２からなる接眼光学系Ｌ０が大きくなると、高倍率は得やすくなるが、画像表示面ＩＰと第１レンズＬ１の距離が近くなりすぎ、像面湾曲、コマ収差等の諸収差の補正が困難になる。また、下限値を下回ると接眼光学系全体が大型化してしまう。
【００３７】
条件式（４）は第１レンズＬ１の観察側のレンズ面から第２レンズＬ２の画像表示面ＩＰ側のレンズ面までの光軸上の間隔ｄ３と、第２レンズＬ２の光軸上の厚み（レンズ群厚）Ｄ２の比を規定する。条件式（４）は小型化を図りつつ、倍率色収差を良好に補正するためのものである。条件式（４）の上限値を超えると、すなわち間隔ｄ３が大きくなると、第１レンズＬ１と第２レンズＬ２の間隔が離れすぎ、レンズ系が大型化してしまう。また、倍率色収差の補正が困難になる。条件式（４）の下限値を超えることは構成上ない。
【００３８】
条件式（５）は標準視度における、画像表示面ＩＰから第２レンズＬ２の観察側のレンズ面までの光軸上の距離と全系の焦点距離の比を規定する。条件式（５）は全系の小型化を図るためのものである。条件式（５）の上限値を超えて、すなわち画像表示面ＩＰと第２レンズＬ２の観察側のレンズ面までの距離が長くなると、全系が大型化する。もしくは、全系の焦点距離が長くなり高倍率化が困難になる。また、下限値を下回ると接眼光学系Ｌ０は小型化し、高倍率化が容易となるが諸収差を良好に補正するのが困難になる。
【００３９】
条件式（６）は第１レンズＬ１の焦点距離と第２レンズＬ２の焦点距離の比を規定する。条件式（６）は高倍率化と諸収差を良好に補正するための条件である。条件式（６）の上限値を超えると、すなわち第１レンズＬ１の負の焦点距離が短くなる（負の焦点距離の絶対値が小さくなると）と倍率色収差の補正が困難になる。また、下限値を下回ると第１レンズＬ１の負の屈折力が弱まるため、高倍率化が困難になる。
【００４０】
各実施例によれば、以上の諸条件を満足することにより視野角が大きく、像面湾曲、倍率色収差を始めとする諸収差が十分に補正された高い光学性能を有する小型の接眼光学系が容易に得られる。
【００４１】
条件式（７）は、画像表示素子の画像表示面ＩＰの有効面の対角長さの半分と全系の焦点距離の比を規定している。条件式（７）は所定の長さのアイレリーフを確保しつつ、高倍率化を図るためのものである。この条件式（７）の上限を超えると全系の焦点距離が短くなる為、高倍率化には有利だが、高い光学性能を得るのが難しくなる。下限値を下回ると、全系の屈折力（パワー）が弱くなり、高倍率化を図ることが難しくなる。
【００４２】
更に好ましくは条件式（３）乃至（７）の数値範囲を次の如く設定するのが良い。
０．１６≦Ｄ／ＴＴＬ≦０．５０    ・・・（３ａ）
０．０１≦ｄ３／Ｄ２≦０．０８    ・・・（４ａ）
０．５≦ＴＴＬ／ｆ≦１．３        ・・・（５ａ）
−８．０≦Ｌ１ｆ／Ｌ２ｆ≦−１．２・・・（６ａ）
０．１９＜ＰＮ／ｆ＜０．４０      ・・・（７ａ）
【００４３】
更に好ましくは条件式（３ａ）乃至（７ａ）の数値範囲を次の如く設定するのが良い。
０．１７≦Ｄ／ＴＴＬ≦０．４９    ・・・（３ｂ）
０．０２≦ｄ３／Ｄ２≦０．０７    ・・・（４ｂ）
０．６≦ＴＴＬ／ｆ≦１．２        ・・・（５ｂ）
−７．０≦Ｌ１ｆ／Ｌ２ｆ≦−１．４・・・（６ｂ）
０．１９＜ＰＮ／ｆ＜０．３５      ・・・（７ｂ）
【００４４】
以下に本発明の各実施例に対応する数値データを示す。数値データにおいて、ωは視度が−１ディオプター（標準視度）時の見かけ視野（半画角）を示す。画像表示面ＩＰから観察側ＥＰへ順に「ｒｉｊ」は第ｉ番目のレンズの第ｊ番目の面の近軸曲率半径を示す。ｒ０は表示パネル（画像表示面）である。数値データ１乃至５においてｒ３１、ｒ３２はカバーガラスである。
【００４５】
ｄｉは画像表示面ＩＰから順に第ｉ番目の面と第ｉ＋１番目の面との間の軸上面間隔を示す。さらに、Ｎｄｉは第ｉ番目の材料のｄ線（波長＝５７８．６ｎｍ）に対する屈折率を示し、νｄｉは第ｉ番目の材料のｄ線に対するアッベ数を示す。
【００４６】
なお、数値データでは、記載されている長さの単位は、特記の無い場合［ｍｍ］が使われている。ただし、接眼光学系Ｌ０は、比例拡大または比例縮小しても同等の光学性能が得られるので、単位は［ｍｍ］に限定されることなく、他の適当な単位を用いることが出来る。なお、数値データにおいて近軸曲率半径の欄に「＊」の添え字が書かれている面は次の数１式によって定義される非球面形状である。
【００４７】
【数１】
2019152733.tif 000003
【００４８】
なお、（数１式）において、xはレンズ面の頂点からの光軸方向の距離、hは光軸と垂直な方向の高さ、Rはレンズ面の頂点での近軸曲率半径であり、kは円錐定数、c2、c4、c6、c8は多項式係数である。非球面係数において、「Ｅ−ｉ」は１０を底とする指数表現、すなわち「１０−ｉ」を表している。各数値データにおける前述の各条件式の計算結果を表１に示す。  以上、本発明の好ましい実施形態について説明したが、本発明はこれらの実施形態に限定されず、その要旨の範囲内で種々の変形及び変更が可能である。
【００４９】
［数値データ１］
焦点距離        画像表示面ＩＰの対角長       ２ω[°]
21.67                9.9                     26.7
レンズデータ
面   近軸曲率半径    軸上面間隔     屈折率（Nd） アッベ数（νd）
r0     表示パネル    d1    可変          
r11*     -9.19       d2    1.70      1.636        23.9
r12     -23.73       d3    0.17          
r21      18.23       d4    5.45      1.532        55.8 
r22*    -10.71       d5    可変          
r31       0.00       d6    0.80      1.492        57.4
r32       0.00       d7   16.00          
EP                         
非球面係数
ｋ           C2            C4           C6           C8
r11*     0.00E+00     0.00E+00     -1.45E-04     0.00E+00     0.00E+00
r22*     0.00E+00     0.00E+00      1.32E-04     1.34E-06     0.00E+00
可変間隔
視度[dpt]      0        -3         +1         -1
ｄ１     12.56      11.19      13.53      12.02 
ｄ５     1.77        3.14       0.80       2.31
【００５０】
［数値データ２］
焦点距離        画像表示面ＩＰの対角長       ２ω[°]
14.7                9.9                      36.6
レンズデータ
面   近軸曲率半径    軸上面間隔     屈折率（Nd）アッベ数（νd）
r0     表示パネル    d1    可変          
r11*    -10.02       d2    1.60       1.583       30.2 
r12     413.74       d3    0.17           
r21*     10.69       d4    5.30       1.492       57.4 
r22*     -9.67       d5    可変          
r31       0.00       d6    0.65       1.492       57.4
r32       0.00       d7   16.00          
EP          
非球面係数
ｋ           C2            C4           C6           C8
r11*     1.35E+00     0.00E+00     1.46E-04     6.88E-06     0.00E+00
r21*    -2.01E+00     0.00E+00    -1.42E-04     4.00E-07     0.00E+00
r22*     0.00E+00     0.00E+00     1.95E-04     0.00E+00     0.00E+00
可変間隔
視度[dpt]      0        -3         +1         -1
ｄ１      10.49     9.03      10.92      9.96 
ｄ５       1.23     2.69       0.80      1.76
【００５１】
［数値データ３］
焦点距離        画像表示面ＩＰの対角長       ２ω[°]
16.3                9.9                      34.3
レンズデータ
面   近軸曲率半径    軸上面間隔    屈折率（Nd） アッベ数（νd）
r0     表示パネル    d1    可変     
r11*     -5.53       d2    1.55      1.636        23.9 
r12     -12.61       d3    0.15           
r21*    -80.00       d4    2.20      1.768        49.2 
r22*     -8.40       d5    可変          
r31       0.00       d6    0.70      1.492        57.4
r32       0.00       d7   16.00          
EP                         
非球面係数
ｋ            C2            C4           C6           C8
r11*     -2.51E-01     0.00E+00     8.66E-06     0.00E+00     0.00E+00
r21*     -9.48E+02     0.00E+00     0.00E+00     0.00E+00     0.00E+00
r22*      0.00E+00     0.00E+00     3.02E-04    -1.67E-06     5.98E-08
可変間隔
視度[dpt]      0        -3         +1         -1
ｄ１      13.47     11.64      14.03     12.80 
ｄ５       1.36      3.19       0.80      2.02
【００５２】
［数値データ４］
焦点距離        画像表示面ＩＰの対角長      ２ω[°]
23.8               16.8                     38.1
レンズデータ
面   近軸曲率半径     軸上面間隔    屈折率（Nd） アッベ数（νd）
r0     表示パネル     d1    可変          
r11*    -10.10        d2    1.50      1.651        21.5 
r12     -12.00        d3    0.22           
r21      41.52        d4    6.50      1.553        71.7 
r22*    -15.42        d5    可変          
r31       0.00        d6    0.80      1.492        57.4
r32       0.00        d7   17.00          
EP                         
非球面係数
ｋ            C2            C4           C6           C8
r11*     2.98E-01     0.00E+00     -5.47E-05      0.00E+00     0.00E+00
r22*     0.00E+00     0.00E+00      9.12E-06     -3.41E-07     8.87E-09
可変間隔
視度[dpt]      0        -3         +1         -1
ｄ１       11.98    10.39       12.44      11.41 
ｄ５        1.26     2.85        0.80       1.83
【００５３】
［数値データ５］
焦点距離        画像表示面ＩＰの対角長     ２ω[°]
16.3               12.6                    41.6
レンズデータ
面   近軸曲率半径     軸上面間隔   屈折率（Nd） アッベ数（νd）
r0     表示パネル     d1    可変          
r11*      -9.37       d2    2.76      1.636        23.9 
r12*     -28.67       d3    0.19           
r21*      14.94       d4    6.54      1.553        71.7 
r22*     -10.25       d5    可変          
r31        0.00       d6    0.65      1.492        57.4
r32        0.00       d7   18.00          
EP                         
非球面係数
ｋ            C2            C4           C6           C8
r11*     7.00E-01     0.00E+00     0.00E+00     0.00E+00     0.00E+00
r12*     0.00E+00     0.00E+00     -3.81E-05     0.00E+00     0.00E+00
r21*     0.00E+00     0.00E+00     -1.90E-04     3.50E-07     0.00E+00
r22*     0.00E+00     0.00E+00      1.48E-04    -3.63E-08     2.50E-09
可変間隔
視度[dpt]      0        -3         +1         -1
ｄ１       4.76      3.88      5.01       4.45 
ｄ５       1.05      1.94      0.80       1.36
【００５４】
【表１】
2019152733.tif 000004
【００５５】
次に、各実施例に示した接眼光学系を用いた撮像装置の実施形態について、図１１を用いて説明する。撮像光学系１０１により形成された物体像は、光電変換素子である撮像素子１０２により電気信号に変換される。撮像素子１０２としては、ＣＣＤセンサやＣＭＯＳセンサなどが用いられる。
【００５６】
撮像素子１０２からの出力信号が画像処理回路１０３において処理され、画像が形成される。形成された画像は、半導体メモリ、磁気テープ、光ディスクなどの記録媒体１０４に記録される。また、画像処理回路１０３において形成された画像は、観察装置１０５に表示される。観察装置１０５は、画像表示素子１０５１及び各実施例の接眼光学系１０５２を備える。画像表示素子１０５１は、液晶表示素子ＬＣＤやＣＲＴ等から構成される。画像表示素子１０５１で表示された画像情報は接眼光学系１０５２を介してアイポイント１０６より観察される。
【００５７】
このように本発明の接眼光学系１０５２を、デジタルカメラやビデオカメラ等の撮像装置に適用することにより、広視野角かつ小型であり、高い光学性能を有する撮像装置を得ることができる。
【符号の説明】
【００５８】
Ｌ０  接眼光学系      Ｌ１  第１レンズ      Ｌ２  第２レンズ
【図１】
2019152733.tif 000005
【図２】
2019152733.tif 000006
【図３】
2019152733.tif 000007
【図４】
2019152733.tif 000008
【図５】
2019152733.tif 000009
【図６】
2019152733.tif 000010
【図７】
2019152733.tif 000011
【図８】
2019152733.tif 000012
【図９】
2019152733.tif 000013
【図１０】
2019152733.tif 000014
【図１１】
2019152733.tif 000015
【手続補正書】
【提出日】平成31年2月4日(2019.2.4)
【手続補正１】
【補正対象書類名】明細書
【補正対象項目名】全文
【補正方法】変更
【補正の内容】
【発明の詳細な説明】
【技術分野】
【０００１】
本発明は、接眼光学系及びそれを有する観察装置に関する。
【背景技術】
【０００２】
従来、電子ビューファインダー（観察装置）においては、液晶等の画像表示素子の画像表示面に表示された画像を拡大観察する為に接眼光学系が用いられている。
【０００３】
この接眼光学系には、画像表示面の視認性を高めるために、十分に広い視野（高い観察倍率）と、収差が良好に補正された高い光学性能を有すること等が要望されている。更に観察装置の小型化の要望より、レンズ枚数が少なく、観察装置に用いる画像表示面が小さな寸法（例えば対角長で２０ｍｍ以下）の画像表示素子に適した接眼光学系が求められている。
【０００４】
従来、少ないレンズ枚数の接眼光学系が種々と提案されている（特許文献１乃至３）。特許文献１では、画像表示面側より観察側に向かって、負の屈折力の第１レンズ、物体側に強い曲率を持った正の屈折力の第２レンズよりなる接眼光学系を開示している。また、特許文献２では、負の屈折力のレンズと、正の屈折面のレンズよりなり、非球面を利用した高い光学性能を得るようにした接眼レンズを開示している。
【先行技術文献】
【特許文献】
【０００５】
【特許文献１】特開平０８−０２９７０５号公報
【特許文献２】特開平０５−１１９２７４号公報
【発明の概要】
【発明が解決しようとする課題】
【０００６】
観察装置に用いられる接眼光学系において、観察倍率を高く、接眼光学系全体の小型化を図るためには、接眼光学系のレンズ構成及び各レンズの屈折力、レンズ形状等を適切に設定することが重要になってくる。
【０００７】
特許文献１に開示された接眼光学系は、負の屈折力の第１レンズの画像表示面側と正の屈折力の第２レンズの画像表示面側のレンズ面を非球面形状にすることで、全体の小型化を実現している。しかしながら、観察倍率が必ずしも十分ではなかった。特許文献２で開示された接眼光学系は、第１レンズ、第２レンズに、夫々、非球面形状のレンズ面を用いることによって小型化を実現している。しかしながら、非球面形状の非球面量が多くなる傾向があった。
【０００８】
本発明は、画像表示面を観察する際の観察倍率が高く、諸収差を良好に補正し高い光学性能を確保し、かつ全系が小型で製造が容易な接眼光学系の提供を目的とする。
【課題を解決するための手段】
【０００９】
本発明の接眼光学系は、画像表示面に表示された画像を観察するための複数のレンズを含む接眼光学系であって、
前記複数のレンズは、画像表示面側から観察側へ順に配置された、負の屈折力の第１レンズ、正の屈折力の第２レンズからなり、
前記第１レンズの画像表示面側のレンズ面の近軸曲率半径をｒ１１、観察側のレンズ面の近軸曲率半径をｒ１２、前記第２レンズの画像表示面側のレンズ面の近軸曲率半径をｒ２１、観察側のレンズ面の近軸曲率半径をｒ２２とするとき、
−１５．０≦（ｒ１１＋ｒ１２）／（ｒ１１−ｒ１２）≦−０．２
−０．２５≦（ｒ２１＋ｒ２２）／（ｒ２１−ｒ２２）≦１．５０
なる条件式を満足することを特徴としている。
【発明の効果】
【００１０】
本発明によれば、画像表示面を高倍率で観察することができ、諸収差を良好に補正した高い光学性能を有し、かつ全系が小型で製造が容易な接眼光学系が得られる。
【図面の簡単な説明】
【００１１】
【図１】実施例１に係る接眼光学系のレンズ構成を示す断面図
【図２】実施例１に係る接眼光学系の各収差図
【図３】実施例２に係る接眼光学系のレンズ構成を示す断面図
【図４】実施例２に係る接眼光学系の各収差図
【図５】実施例３に係る接眼光学系のレンズ構成を示す断面図
【図６】実施例３に係る接眼光学系の各収差図
【図７】実施例４に係る接眼光学系のレンズ構成を示す断面図
【図８】実施例４に係る接眼光学系の各収差図
【図９】実施例５に係る接眼光学系のレンズ構成を示す断面図
【図１０】実施例５に係る接眼光学系の各収差図
【図１１】本発明の撮像装置の要部概略図
【発明を実施するための形態】
【００１２】
以下、各実施例の接眼光学系及びそれを有する観察装置について説明する。各実施例の接眼光学系は、画像表示素子に表示された画像（画像表示面）を観察するための複数のレンズを含む接眼光学系である。接眼光学系は、画像表示面側から観察側へ順に配置された、負の屈折力の第１レンズ、正の屈折力の第２レンズより構成されている。
【００１３】
図１は本発明の接眼光学系の実施例１のレンズ断面図である。図２は本発明の接眼光学系の実施例１の視度が−１．０ディオプター（標準視度）における収差図である。
【００１４】
図３は本発明の接眼光学系の実施例２のレンズ断面図である。図４は本発明の接眼光学系の実施例２の視度が−１．０ディオプターにおける収差図である。
【００１５】
図５は本発明の接眼光学系の実施例３のレンズ断面図である。図６は本発明の接眼光学系の実施例３の視度が−１．０ディオプターにおける収差図である。
【００１６】
図７は本発明の接眼光学系の実施例４のレンズ断面図である。図８は本発明の接眼光学系の実施例４の視度が−１．０ディオプターにおける収差図である。
【００１７】
図９は本発明の接眼光学系の実施例５のレンズ断面図である。図１０は本発明の接眼光学系の実施例５の視度が−１．０ディオプターにおける収差図である。
【００１８】
図１１は本発明の撮像装置の要部概略図である。
【００１９】
各実施例の接眼光学系は、ビデオカメラ、スチルカメラ、放送用カメラ等の撮像装置の電子ビューファインダー（観察装置）に用いられる。レンズ断面図において左方は画像表示面側、右方は観察側（射出瞳側）である。レンズ断面図においてＬ０は接眼光学系である。Ｌｉは第ｉレンズである。ＩＰは液晶又は有機ＥＬ等よりなる画像表示素子の画像表示面である。ＥＰは観察のための設計観察面（アイポイント）である。ＣＧ１はカバーガラスである。
【００２０】
各収差図のうち球面収差図において、実線のｄはｄ線（波長５８７．６ｎｍ）、点線のＦはＦ線（波長４８６．１ｎｍ）を示す。非点収差図においてΔＳｄ（実線）はｄ線のサジタル像面、ΔＭｄ（破線）はｄ線のメリディオナル像面を示す。ΔＳＦ（一点鎖線）はＦ線のサジタル像面、ΔＭＦ（二点鎖線）はＦ線のメリディオナル像面を示す。歪曲はｄ線について示している。倍率色収差はＦ線について示している。Ｈは画像表示面の対角線長の半分（最大像高）である。数値は後述する数値データをｍｍ単位で表したときの値である。
【００２１】
画像表示素子の画像表示面ＩＰの対角線長が約２０ｍｍ以下の小型の画像表示面（表示パネル）を大きな観察視野（視野角約２０度以上）で観察するためには、接眼光学系Ｌ０全体で強い正の屈折力（パワー）を持つ必要がある。そのためには、接眼光学系Ｌ０を構成する各レンズに強い正の屈折力、負の屈折力が必要になる。そうすると多く場合、レンズ枚数が増える。更にレンズ厚が厚くなるなどによって、接眼光学系Ｌ０全体のサイズ（寸法）が大きくなる場合が多い。また、接眼光学系Ｌ０を小さくしたまま高倍率化を図ると、像面湾曲、倍率色収差が増大し、これらの諸収差の補正が困難になる。
【００２２】
そこで、各実施例に係る接眼光学系では、各レンズ断面図に示すように、画像表示面ＩＰ側（物体側）より観察面（アイポイント）ＥＰ側に順に、２つのレンズで構成している。具体的には、負の屈折力の第１レンズＬ１、正の屈折力の第２レンズＬ２で構成している。
【００２３】
各実施例において観察面ＥＰの光軸方向の位置は、画像表示面ＩＰの最周辺からの光線が観測者の瞳を通過する範囲内であれば光軸方向に移動しても良い。また、レンズ最終面（図１、図５、図７、図９において、第２レンズＬ２の観察側のレンズ面）から観察面ＥＰまでの距離をアイレリーフとしている。カバーガラスＣＧＩは画像表示面ＩＰやレンズを保護するプレートであり、画像表示面ＩＰからレンズの間やレンズと観察面ＥＰの間に設けても良いし、また必ずしも設置しなくても良い。
【００２４】
各実施例において視度調整は接眼光学系Ｌ０全体（第１レンズと第２レンズ）を移動して行っている。
【００２５】
各実施例の接眼光学系Ｌ０は、画像表示面ＩＰ側から観察側へ順に配置された、負の屈折力の第１レンズＬ１、正の屈折力の第２レンズＬ２で構成されている。このとき、第１レンズＬ１の画像表示面ＩＰ側のレンズ面の近軸曲率半径をｒ１１、観察側のレンズ面の近軸曲率半径をｒ１２、第２レンズＬ２の画像表示面ＩＰ側のレンズ面の近軸曲率半径をｒ２１、観察側のレンズ面の近軸曲率半径をｒ２２とする。このとき、
−１５．０≦（ｒ１１＋ｒ１２）／（ｒ１１−ｒ１２）≦−０．２・・・（１）
−０．２５≦（ｒ２１＋ｒ２２）／（ｒ２１−ｒ２２）≦１．５  ・・・（２）
なる条件式を満足する。ただし、近軸曲率半径は光線有効範囲の１割で求める。
【００２６】
次に前述の各条件式の技術的意味について説明する。条件式（１）は、第１レンズＬ１のレンズ形状を規定している。条件式（１）の上限値を超えると、第１レンズの画像表示面ＩＰ側のレンズ面がゆるくなりすぎ、高い光学性能を得るために、画像表示面ＩＰと第１レンズＬ１の間の距離を多くとる必要が出てくる。
【００２７】
そうすると全系が大型化しやすくなる。また、下限値を下回ると、第１レンズＬ１の負の屈折力が弱くなる（負の屈折力の絶対値が小さくなる）ため、観察倍率の高倍率化が困難になる。
【００２８】
条件式（２）は、第２レンズＬ２のレンズ形状を規定している。条件式（２）は観察倍率の高倍率を保ちつつ像面湾曲を良好に補正する為のものである。条件式（２）の上限値を超えると、高倍率は得られやすいが、レンズ面の曲率がきつくなり、レンズの製造が困難になる。また下限値を下回ると、高倍率化が困難になる。
【００２９】
好ましくは条件式（１）、（２）の数値範囲を次の如く設定するのが良い。
【００３０】
−１４．０≦（ｒ１１＋ｒ１２）／（ｒ１１−ｒ１２）≦−０．５・・・（１ａ）
−０．２≦（ｒ２１＋ｒ２２）／（ｒ２１−ｒ２２）≦１．４    ・・・（２ａ）
【００３１】
更に好ましくは条件式（１ａ）、（２ａ）の数値範囲を次の如く設定するのが良い。
−１３．０≦（ｒ１１＋ｒ１２）／（ｒ１１−ｒ１２）≦−０．７・・・（１ｂ）
−０．１≦（ｒ２１＋ｒ２２）／（ｒ２１−ｒ２２）≦１．３    ・・・（２ｂ）
【００３２】
各実施例において好ましくは次の条件式のうち１つ以上を満足するのが良い。標準視度における、画像表示面ＩＰから第２レンズＬ２の観察側のレンズ面までの光軸上の距離をＴＴＬ、第１レンズＬ１の画像表示面ＩＰ側のレンズ面から第２レンズＬ２の観察側のレンズ面までの光軸上の距離をＤとする。第１レンズＬ１の観察側のレンズ面から第２レンズＬ２の画像表示面ＩＰ側のレンズ面までの光軸上の間隔をｄ３、第２レンズの光軸上の厚みをＤ２とする。接眼光学系Ｌ０の焦点距離をｆとする。第１レンズＬ１の焦点距離をＬ１ｆ、第２レンズＬ２の焦点距離をＬ２ｆとする。
【００３３】
このとき次の条件式のうち１つ以上を満足するのが良い。
０．１５≦Ｄ／ＴＴＬ≦０．５５  ・・・（３）
０．０≦ｄ３／Ｄ２≦０．１      ・・・（４）
０．４≦ＴＴＬ／ｆ≦１．５      ・・・（５）
−１０≦Ｌ１ｆ／Ｌ２ｆ≦−１    ・・・（６）
【００３４】
また各実施例において、画像を表示する画像表示素子と、画像表示素子の画像表示面に表示される画像を観察するために用いられる接眼光学系を有する観察装置において、画像表示素子の画像表示面の対角線長の半分をＰＮとする。このとき、
０．１９＜ＰＮ／ｆ＜０．５０    ・・・（７）
なる条件式を満足するのが良い。
【００３５】
次に前述の各条件式の技術的意味について説明する。条件式（３）は標準視度（−１．０ディオプター）における、画像表示面ＩＰから第２レンズＬ２の観察側のレンズ面までの光軸上の距離と第１レンズＬ１の画像表示面ＩＰ側から第２レンズＬ２の観察側のレンズ面までの光軸上の距離の比を規定する。条件式（３）は全系の小型化を図るためのものである。
【００３６】
条件式（３）の上限値を超えて、すなわち第１レンズＬ１と第２レンズＬ２からなる接眼光学系Ｌ０が大きくなると、高倍率は得やすくなるが、画像表示面ＩＰと第１レンズＬ１の距離が近くなりすぎ、像面湾曲、コマ収差等の諸収差の補正が困難になる。また、下限値を下回ると接眼光学系全体が大型化してしまう。
【００３７】
条件式（４）は第１レンズＬ１の観察側のレンズ面から第２レンズＬ２の画像表示面ＩＰ側のレンズ面までの光軸上の間隔ｄ３と、第２レンズＬ２の光軸上の厚み（レンズ群厚）Ｄ２の比を規定する。条件式（４）は小型化を図りつつ、倍率色収差を良好に補正するためのものである。条件式（４）の上限値を超えると、すなわち間隔ｄ３が大きくなると、第１レンズＬ１と第２レンズＬ２の間隔が離れすぎ、レンズ系が大型化してしまう。また、倍率色収差の補正が困難になる。条件式（４）の下限値を超えることは構成上ない。
【００３８】
条件式（５）は標準視度における、画像表示面ＩＰから第２レンズＬ２の観察側のレンズ面までの光軸上の距離と全系の焦点距離の比を規定する。条件式（５）は全系の小型化を図るためのものである。条件式（５）の上限値を超えて、すなわち画像表示面ＩＰと第２レンズＬ２の観察側のレンズ面までの距離が長くなると、全系が大型化する。もしくは、全系の焦点距離が長くなり高倍率化が困難になる。また、下限値を下回ると接眼光学系Ｌ０は小型化し、高倍率化が容易となるが諸収差を良好に補正するのが困難になる。
【００３９】
条件式（６）は第１レンズＬ１の焦点距離と第２レンズＬ２の焦点距離の比を規定する。条件式（６）は高倍率化と諸収差を良好に補正するための条件である。条件式（６）の上限値を超えると、すなわち第１レンズＬ１の負の焦点距離が短くなる（負の焦点距離の絶対値が小さくなると）と倍率色収差の補正が困難になる。また、下限値を下回ると第１レンズＬ１の負の屈折力が弱まるため、高倍率化が困難になる。
【００４０】
各実施例によれば、以上の諸条件を満足することにより視野角が大きく、像面湾曲、倍率色収差を始めとする諸収差が十分に補正された高い光学性能を有する小型の接眼光学系が容易に得られる。
【００４１】
条件式（７）は、画像表示素子の画像表示面ＩＰの有効面の対角長さの半分と全系の焦点距離の比を規定している。条件式（７）は所定の長さのアイレリーフを確保しつつ、高倍率化を図るためのものである。この条件式（７）の上限を超えると全系の焦点距離が短くなる為、高倍率化には有利だが、高い光学性能を得るのが難しくなる。下限値を下回ると、全系の屈折力（パワー）が弱くなり、高倍率化を図ることが難しくなる。
【００４２】
更に好ましくは条件式（３）乃至（７）の数値範囲を次の如く設定するのが良い。
０．１６≦Ｄ／ＴＴＬ≦０．５０    ・・・（３ａ）
０．０１≦ｄ３／Ｄ２≦０．０８    ・・・（４ａ）
０．５≦ＴＴＬ／ｆ≦１．３        ・・・（５ａ）
−８．０≦Ｌ１ｆ／Ｌ２ｆ≦−１．２・・・（６ａ）
０．１９＜ＰＮ／ｆ＜０．４０      ・・・（７ａ）
【００４３】
更に好ましくは条件式（３ａ）乃至（７ａ）の数値範囲を次の如く設定するのが良い。
０．１７≦Ｄ／ＴＴＬ≦０．４９    ・・・（３ｂ）
０．０２≦ｄ３／Ｄ２≦０．０７    ・・・（４ｂ）
０．６≦ＴＴＬ／ｆ≦１．２        ・・・（５ｂ）
−７．０≦Ｌ１ｆ／Ｌ２ｆ≦−１．４・・・（６ｂ）
０．１９＜ＰＮ／ｆ＜０．３５      ・・・（７ｂ）
【００４４】
以下に本発明の各実施例に対応する数値データを示す。数値データにおいて、ωは視度が−１ディオプター（標準視度）時の見かけ視野（半画角）を示す。画像表示面ＩＰから観察側ＥＰへ順に「ｒｉｊ」は第ｉ番目のレンズの第ｊ番目の面の近軸曲率半径を示す。ｒ０は表示パネル（画像表示面）である。数値データ１乃至５においてｒ３１、ｒ３２はカバーガラスである。
【００４５】
ｄｉは画像表示面ＩＰから順に第ｉ番目の面と第ｉ＋１番目の面との間の軸上面間隔を示す。さらに、Ｎｄｉは第ｉ番目の材料のｄ線（波長＝５７８．６ｎｍ）に対する屈折率を示し、νｄｉは第ｉ番目の材料のｄ線に対するアッベ数を示す。
【００４６】
なお、数値データでは、記載されている長さの単位は、特記の無い場合［ｍｍ］が使われている。ただし、接眼光学系Ｌ０は、比例拡大または比例縮小しても同等の光学性能が得られるので、単位は［ｍｍ］に限定されることなく、他の適当な単位を用いることが出来る。なお、数値データにおいて近軸曲率半径の欄に「＊」の添え字が書かれている面は次の数１式によって定義される非球面形状である。
【００４７】
【数１】
2019152733.tif 000016
【００４８】
なお、（数１式）において、xはレンズ面の頂点からの光軸方向の距離、hは光軸と垂直な方向の高さ、Rはレンズ面の頂点での近軸曲率半径であり、kは円錐定数、c2、c4、c6、c8は多項式係数である。非球面係数において、「Ｅ−ｉ」は１０を底とする指数表現、すなわち「１０−ｉ」を表している。各数値データにおける前述の各条件式の計算結果を表１に示す。  以上、本発明の好ましい実施形態について説明したが、本発明はこれらの実施形態に限定されず、その要旨の範囲内で種々の変形及び変更が可能である。
【００４９】
［数値データ１］
全体緒元
焦点距離        画像表示面対角長        ２ω[°]
21.67                9.9                25.9
レンズデータ
面   近軸曲率半径          軸上面間隔     屈折率（Nd） アッベ数（νd）
r0     表示パネル    d1     可変          
r11*   -9.19         d2     1.70            1.636        23.9
r12    -23.73        d3     0.17          
r21    18.23         d4     5.45            1.532        55.8 
r22*   -10.71        d5     可変          
r31    0.00          d6     0.80            1.492        57.4
r32    0.00          d7     16.00         
EP                                 
非球面係数
ｋ            C2             C4           C6           C8
r11*   0.00E+00      0.00E+00      -1.45E-04     0.00E+00      0.00E+00
r22*   0.00E+00      0.00E+00      1.32E-04      1.34E-06      0.00E+00
可変間隔
視度[dpt]      0          -3         +1           -1
ｄ１  15.41      14.04       15.88        14.87 
ｄ５   1.77       3.14       1.30          2.31
【００５０】
［数値データ２］
全体緒元
焦点距離        画像表示面対角長        ２ω[°]
21.9                9.9                 25.7
レンズデータ
面   近軸曲率半径          軸上面間隔   屈折率（Nd）  アッベ数（νd）
r0     表示パネル    d1     可変          
r11*   -10.02        d2     1.60          1.583         30.2 
r12    413.74        d3     0.17          
r21*   10.69         d4     5.30          1.492         57.4 
r22*   -9.67         d5     可変          
r31    0.00          d6     0.65          1.492         57.4
r32    0.00          d7     16.00         
EP            
非球面係数
ｋ            C2            C4            C6            C8
r11*   1.35E+00      0.00E+00      1.46E-04      6.88E-06      0.00E+00
r21*   -2.01E+00     0.00E+00      -1.42E-04     4.00E-07      0.00E+00
r22*   0.00E+00      0.00E+00      1.95E-04      0.00E+00      0.00E+00
可変間隔
視度[dpt]      0          -3         +1           -1
ｄ１  15.69      14.23     16.12         15.16 
ｄ５   1.23       2.69      0.80          1.76
【００５１】
［数値データ３］
全体緒元
焦点距離        画像表示面対角長        ２ω[°]
24.7                9.9                23.2
レンズデータ
面   近軸曲率半径          軸上面間隔   屈折率（Nd）  アッベ数（νd）
r0     表示パネル    d1     可変   
r11*   -5.53         d2     1.55         1.636         23.9 
r12    -12.61        d3     0.15          
r21*   -80.00        d4     2.20         1.768         49.2 
r22*   -8.40         d5     可変          
r31    0.00          d6     0.70         1.492         57.4
r32    0.00          d7     16.00         
EP                                 
非球面係数
ｋ           C2            C4            C6            C8
r11*   -2.51E-01     0.00E+00      8.66E-06      0.00E+00      0.00E+00
r21*   -9.48E+02     0.00E+00      0.00E+00      0.00E+00      0.00E+00
r22*   0.00E+00      0.00E+00      3.02E-04      -1.67E-06     5.98E-08
可変間隔
視度[dpt]        0          -3           +1         -1
ｄ１  18.67       16.84        19.23      18.00 
ｄ５   1.36        3.19         0.80       2.02
【００５２】
［数値データ４］
全体緒元
焦点距離        画像表示面対角長        ２ω[°]
22.7 9.9 25.0
レンズデータ
面   近軸曲率半径          軸上面間隔   屈折率（Nd）  アッベ数（νd）
r0     表示パネル    d1     可変          
r11*   -10.10        d2     1.50         1.651         21.5 
r12    -12.00        d3     0.22          
r21    41.52         d4     6.50         1.553         71.7 
r22*   -15.42        d5     可変          
r31    0.00          d6     0.80         1.492         57.4
r32    0.00          d7     17.00         
EP                                 
非球面係数
ｋ            C2             C4           C6           C8
r11*   2.98E-01      0.00E+00      -5.47E-05     0.00E+00      0.00E+00
r22*   0.00E+00      0.00E+00      9.12E-06      -3.41E-07     8.87E-09
可変間隔
視度[dpt]      0          -3           +1         -1
ｄ１  17.18      15.59        17.64       16.6 
ｄ５   1.26       2.85         0.80        1.83
【００５３】
［数値データ５］
全体緒元
焦点距離        画像表示面対角長        ２ω[°]
16.9 9.9 33.5
レンズデータ
面   近軸曲率半径          軸上面間隔   屈折率（Nd）  アッベ数（νd）
r0     表示パネル    d1     可変          
r11*   -9.37         d2     2.76         1.636         23.9 
r12*   -28.67        d3     0.19          
r21*   14.94         d4     6.54         1.553         71.7 
r22*   -10.25        d5     可変          
r31    0.00          d6     0.65         1.492         57.4
r32    0.00          d7     18.00         
EP                                 
非球面係数
ｋ            C2            C4            C6            C8
r11*   7.00E-01      0.00E+00      0.00E+00      0.00E+00      0.00E+00
r12*   0.00E+00      0.00E+00      -3.81E-05     0.00E+00      0.00E+00
r21*   0.00E+00      0.00E+00      -1.90E-04     3.50E-07      0.00E+00
r22*   0.00E+00      0.00E+00      1.48E-04      -3.63E-08     2.50E-09
可変間隔
視度[dpt]         0         -3           +1          -1
ｄ１    9.96       9.08        10.21       9.65 
ｄ５    1.05       1.94         0.80       1.36
【００５４】
【表１】
2019152733.tif 000017
【００５５】
次に、各実施例に示した接眼光学系を用いた撮像装置の実施形態について、図１１を用いて説明する。撮像光学系１０１により形成された物体像は、光電変換素子である撮像素子１０２により電気信号に変換される。撮像素子１０２としては、ＣＣＤセンサやＣＭＯＳセンサなどが用いられる。
【００５６】
撮像素子１０２からの出力信号が画像処理回路１０３において処理され、画像が形成される。形成された画像は、半導体メモリ、磁気テープ、光ディスクなどの記録媒体１０４に記録される。また、画像処理回路１０３において形成された画像は、観察装置１０５に表示される。観察装置１０５は、画像表示素子１０５１及び各実施例の接眼光学系１０５２を備える。画像表示素子１０５１は、液晶表示素子ＬＣＤやＣＲＴ等から構成される。画像表示素子１０５１で表示された画像情報は接眼光学系１０５２を介してアイポイント１０６より観察される。
【００５７】
このように本発明の接眼光学系１０５２を、デジタルカメラやビデオカメラ等の撮像装置に適用することにより、広視野角かつ小型であり、高い光学性能を有する撮像装置を得ることができる。
【符号の説明】
【００５８】
Ｌ０  接眼光学系      Ｌ１  第１レンズ      Ｌ２  第２レンズ
【手続補正２】
【補正対象書類名】図面
【補正対象項目名】全図
【補正方法】変更
【補正の内容】
【図１】
2019152733.tif 000018
【図２】
2019152733.tif 000019
【図３】
2019152733.tif 000020
【図４】
2019152733.tif 000021
【図５】
2019152733.tif 000022
【図６】
2019152733.tif 000023
【図７】
2019152733.tif 000024
【図８】
2019152733.tif 000025
【図９】
2019152733.tif 000026
【図１０】
2019152733.tif 000027
【図１１】
2019152733.tif 000028